(57)【要約】      （修正有）【課題】ドアキー等、外出時に必要な小物の持ち出し時の利便性を高め得るスイッチカバーを提供する。【解決手段】スイッチ操作用孔５２を有するカバ−本体部２と、カバ−本体部２と連結され小物を保持するための小物保持部６とを備える。小物保持部６は、小物を収容する小物収容部６０を備えている。また、小物収容部６０は、小物を載置する小物載置部６１と、小物載置部６１を囲むように小物載置部６１の周縁から上方に延ばされた周壁部６２とを備えている。【選択図】図１
0003213285.tif 000002
【実用新案登録請求の範囲】
【請求項１】
スイッチ操作用孔を備え、壁面に設けられたスイッチ片を前記スイッチ操作用孔に挿入させた状態で前記壁面に組み付けられる、壁面スイッチのスイッチカバーであって、
前記スイッチ操作用孔を有するカバ−本体部と、このカバー本体部に連結された、小物を保持するための小物保持部とを備えていることを特徴とするスイッチカバー。
【請求項２】
前記小物保持部は、前記小物を収容する小物収容部を備え、
前記小物収容部は、前記小物を載置する小物載置部と、前記小物載置部を囲むように前記小物載置部の周縁から上方に延びた周壁部とを備えていることを特徴とする請求項１記載のスイッチカバー。
【請求項３】
前記小物保持部は、前記小物を掛けるための小物掛け部を、更に備えていることを特徴とする請求項１又は２記載のスイッチカバー。
【請求項４】
前記小物掛け部は、前記周壁部に形成されていることを特徴とする請求項３記載のスイッチカバー。
【請求項５】
前記小物掛け部は、前記小物収容部とは別途に形成されていることを特徴とする請求項３記載のスイッチカバー。
【請求項６】
前記スイッチ片は、前記壁面に取り付けられたスイッチプレートにスイッチのオンオフ操作可能に支持されるものであって、
前記小物収容部は、上面および下面を備えた平板状の底板部を備え、かつ前記カバ−本体部の下方側に配設されており、
前記カバ−本体部は、前記スイッチプレートに係脱自在に取り付けられる取り付け部を備え、上下反転させた状態で前記スイッチプレートに取り付け可能となるように、前記スイッチ操作用孔及び前記取付部が設けられており、
前記底板部の下面は、前記カバー本体部が上下反転する状態で前記スイッチプレートに取り付けられた状態において物品を置くことが可能な形状を有することを特徴とする請求項１〜５の何れか一項に記載のスイッチカバー。
【請求項７】
前記底板部の下面には、前記カバー本体部が上下反転する状態で前記スイッチプレートに取り付けられたときに前記物品を滑り止めする物品滑り止め部が備えられていることを特徴とする請求項６に記載のスイッチカバー。
【請求項８】
前記カバー本体部は、前記壁面に組み付けられる取付枠と、この取付枠に取り付けられて当該取付枠の前面を覆う被覆部材とを含み、
前記小物保持部は、前記取付枠に連結されていることを特徴とする請求項１〜７の何れか一項に記載のスイッチカバー。
【考案の詳細な説明】
【技術分野】
【０００１】
本考案は、壁面スイッチのスイッチカバーに関する。
【背景技術】
【０００２】
従来から、壁面スイッチのスイッチカバーは広く知られており、例えば特許文献１にはその一例が開示されている。この特許文献１に開示されたスイッチカバーは、壁面に設けられたスイッチ片が挿入されるスイッチ操作用孔を有する表面板と、表面板の背面に設けられるスイッチカバー取付枠とを備え、表面板が異なる色又は模様からなる２枚以上の部材から構成されるものである。このような構成により、特許文献１に記載のスイッチカバーは、需要者の趣向に対応するデザインを提供できるものとなっている。
【先行技術文献】
【特許文献】
【０００３】
【特許文献１】特開２００５−５１４４号公報
【考案の概要】
【考案が解決しようとする課題】
【０００４】
ところで、例えば外出時にスイッチ片を操作し部屋の照明を消灯してドアキーによって部屋をロックする場合が多いが、ドアキーをどこに置いたのかを忘れて探す場合も少なくない。よって、スイッチ操作の際にドアキーを即座に持ち出しできれば便利である。
【０００５】
しかし、特許文献１に開示されたスイッチカバーは、デザイン性の向上を目的とするものであり、上記のような要望を満足させ得るものではない。
【０００６】
本考案は、上記の事情に鑑みてなされたものであり、壁面スイッチのスイッチカバーに関し、ドアキー等、外出時に必要な小物の持ち出し時の利便性を高め得るスイッチカバーを提供することを目的とする。
【課題を解決するための手段】
【０００７】
上記課題を解決するために、本考案は、スイッチ操作用孔を備え、壁面に設けられたスイッチ片を前記スイッチ操作用孔に挿入させた状態で前記壁面に組み付けられる、壁面スイッチのスイッチカバーであって、前記スイッチ操作用孔を有するカバ−本体部と、このカバー本体部に連結された、小物を保持するための小物保持部とを備えていることを特徴とするスイッチカバーを提供する。ここに、小物とは、例えばドアキー、自動車キー、自転車のキー等の各種キー、或いはアクセサリー等をいう。
【０００８】
このスイッチカバーによれば、カバ−本体部と連結された小物保持部に、例えばドアキー等の小物を保持させておくことができる。そのため、外出時にスイッチ片を操作して部屋を消灯する際に、ドアキー等の前記小物を即座に把持して持ち出すことが可能となる。
【０００９】
上記スイッチカバーにおいて、前記小物保持部は、前記小物を収容する小物収容部を備え、前記小物収容部は、前記小物を載置する小物載置部と、前記小物載置部を囲むように前記小物載置部の周縁から上方に延びた周壁部とを備えている構成とすることができる。
【００１０】
この構成によれば、小物が小物収容部から落下するおそれが少なくなり、小物を安定的に小物収容部に保持しておくことが可能となる。
【００１１】
上記スイッチカバーにおいて、前記小物保持部は、前記小物を掛けるための小物掛け部を、更に備えているのが好適である。
【００１２】
この構成によれば、例えば小物が紐状物や鎖等の被掛け部を有する場合には、紐状物や鎖等の被掛け部を小物掛け部に掛けることができ、使用し易いものになる。
【００１３】
この場合、前記小物掛け部は、前記周壁部に形成されている構成とできる。
【００１４】
この構成によれば、小物掛け部を、周壁部と共に形成できるので、スイッチカバーの製造が容易になる。
【００１５】
なお、前記小物掛け部は、前記小物収容部とは別途に形成されていてもよい。
【００１６】
これによれば、小物掛け部の形状が周壁部の形状に左右されないので、小物掛け部の形状の自由度、ひいては小物掛け部に掛けることができる小物の自由度が向上する。
【００１７】
なお、前記スイッチ片が、前記壁面に取り付けられたスイッチプレートにスイッチのオンオフ操作可能に支持されるものである場合、前記スイッチカバーの前記小物収容部は、上面および下面を備えた平板状の底板部を備え、かつ前記カバ−本体部の下方側に配設されており、前記カバ−本体部は、前記スイッチプレートに係脱自在に取り付けられる取り付け部を備え、上下反転させた状態で前記スイッチプレートに取り付け可能となるように、前記スイッチ操作用孔及び前記取付部が設けられており、前記底板部の下面は、前記カバー本体部が上下反転する状態で前記スイッチプレートに取り付けられた状態において物品を置くことが可能な形状を有するものであってもよい。
【００１８】
この構成によれば、小物収容部の底板部の上面に小物を置くようにして小物収容部に小物を収容できる一方、前記カバ−本体部を上下反転させた状態で前記スイッチプレートに取り付ければ、小物収容部の上下反転した底板部の下面を使って写真立て等を壁面に立てかけることが可能となる。そのため、用途が広がり便利なものになる。
【００１９】
この場合、前記底板部の下面には、前記カバー本体部が上下反転する状態で前記スイッチプレートに取り付けられたときに前記物品を滑り止めする物品滑り止め部が備えられているのが好適である。
【００２０】
この構成によれば、上記のように写真立て等を壁面に立てかけた場合に、物品滑り止め部によって底板部の他方面を滑り難くできる。これにより、写真立て等の物品を安定的に立てかけておくことが可能となる。
【００２１】
なお、上記スイッチカバーにおいて、前記カバー本体部は、前記壁面に組み付けられる取付枠と、この取付枠に取り付けられて当該取付枠の前面を覆う被覆部材とを含み、前記小物保持部は、前記取付枠に連結されているのが好適である。
【００２２】
この構成によれば、表面が被覆部材で覆われるのでデザイン上有利なものとなる。
【考案の効果】
【００２３】
本考案のスイッチカバ−は、ドアキー等、外出時に必要な小物の持ち出し時の利便性を高めることができる。
【図面の簡単な説明】
【００２４】
【図１】本考案の一実施の形態に係るスイッチカバーの斜視図である。
【図２】（ａ）は、図１のスイッチカバーの正面図、（ｂ）は、図１のスイッチカバーの側面図である。
【図３】図１のスイッチカバーの斜め前方側から見た分解斜視図である。
【図４】図１のスイッチカバーの斜め後方側から見た分解斜視図である。
【図５】図１のスイッチカバーを壁面に取り付ける際の説明図である。
【図６】（ａ）は、スイッチカバーの他の実施形態の斜視図、（ｂ）は、図６（ａ）の正面図、（ｃ）は、図６（ａ）の側面図である。
【図７】（ａ）は、スイッチカバーの更に他の実施形態の斜視図、（ｂ）は、図７（ａ）の正面図、（ｃ）は、図７（ａ）の側面図である。
【図８】（ａ）は、スイッチカバーの更に他の異なる実施形態の斜視図、（ｂ）は、図８（ａ）の正面図、（ｃ）は、図８（ａ）の側面図である。
【図９】（ａ）は、図１のスイッチカバーを上下逆にして壁面に取り付ける場合の斜視図、（ｂ）は、図９（ａ）の正面図、（ｃ）は、図９（ａ）の側面図である。
【考案を実施するための形態】
【００２５】
以下、本考案の実施形態について、図面を参照しながら詳細に説明する。図１は、本考案の一実施の形態に係るスイッチカバーの斜視図、図２（ａ）は、図１のスイッチカバーの正面図、図２（ｂ）は、図１のスイッチカバーの側面図である。また、図３は、図１のスイッチカバーの斜め前方側から見た分解斜視図、図４は、図１のスイッチカバーの斜め後方側から見た分解斜視図である。
【００２６】
本考案のスイッチカバー１は、壁面スイッチのスイッチカバーであり、カバ−本体部２と、カバ−本体部２に連結された小物保持部６とを備えている。
【００２７】
カバ−本体部２は、この実施形態では、図３、図４に示すように、矩形状の取付枠４と、取付枠４を前方側から被覆した被覆部材５とを備えている。
【００２８】
取付枠４は、中央部が矩形状の貫通孔４１によって開口されており、上部及び下部のそれぞれに、壁面１１０に取り付けるための取付部４２を備えている。この実施形態では、取付部４２は、スイッチ片１００（図５に図示）を支持したスイッチプレート１０１（図５に図示）に取付枠４が取り付けられるように形成されている。
【００２９】
詳しくは、図５に示すように、壁面１１０に、取付枠４と略同じ大きさからなる矩形状を呈する金属製のスイッチプレート１０１が固定的に取り付けられている。そして、このスイッチプレート１０１に、１又は複数のスイッチ片１００（この実施形態では上下に並ぶ２つのスイッチ片１００）が、スイッチのオンオフ操作可能に支持されている。
【００３０】
また、このスイッチプレート１０１は、スイッチ片１００を挟んで上部と下部それぞれに、スイッチカバー１が取り付けられる被取付部としてのボルト取付ネジ部１０３を備えている。２つのボルト取付ネジ部１０３は、互いに同一構成のものである。
【００３１】
取付部４２は、スイッチプレート１０１のボルト取付ネジ部１０３それぞれに対応する位置に、ボルト取付ネジ部１０３に螺合する取付ボルト１０４を挿通するように形成された２つのボルト挿通孔から構成されている。
【００３２】
また、２つの取付部４２は、互いに同一構成を採っており、カバ−本体部２を上下逆にした状態でも、取付ボルト１０４を介してスイッチプレート１０１に取付枠４を取り付け可能である。
【００３３】
また、図３に示すように取付枠４の左部及び右部のそれぞれに、被覆部材５が係止される複数（この実施形態では６個）の被係止部を備えている。この実施形態では、各被係止部は、係止凹部４３からなる。
【００３４】
被覆部材５は、図３、図４に示すように、板状のもので、外周形状が取付枠４の外周形状と略同形状に形成され、取付枠４の全体を覆うことができるように形成されている。また、被覆部材５は、スイッチ片１００が挿入される１又は複数のスイッチ操作用孔５２（この実施形態では上下に並ぶ２つのスイッチ操作用孔５２）を備えており、スイッチ操作用孔５２に挿入されたスイッチ片１００が被覆部材５の正面側からオンオフ操作できるようになっている。
【００３５】
また、２つのスイッチ操作用孔５２は、上述のようにカバ−本体部２を上下逆にして取付ボルト１０４によってスイッチプレート１０１に取付枠４を取り付けた場合でも、２つのスイッチ片１００を挿入できるように形成されている。
【００３６】
また、被覆部材５は、図４に示すように、裏面側に、取付枠４の係止凹部４３と係脱自在に係止する係止部としての係止凸部５１を備えている。係止凸部５１は、取付枠４の係止凹部４３と対応する位置に配置された複数からなる。
【００３７】
各係止凸部５１は、この実施形態では、弾性を有し、先端に係止爪５１ａを備えている。そして、この係止凸部５１が係止凹部４３に押入れられることにより係止爪５１ａが係止凹部４３内で係止し、これにより、被覆部材５が取付枠４を被覆した状態で取り付けられる。
【００３８】
小物保持部６は、ドアキー等の各種のキーやアクセサリ等の小物を保持するためのものであり、この実施形態では、小物保持部６は、小物を収容する小物収容部６０を備えている。
【００３９】
この小物収容部６０は、図１〜図４に示すように、小物を載置する小物載置部６１と、小物載置部６１を囲むように小物載置部６１の周縁から上方に延ばされた周壁部６２とから構成され、小物載置部６１と周壁部６２とによって小物収容部６０が上方開放の凹部状に形成されている。
【００４０】
小物載置部６１は、この実施形態では、平板状の底板部６４の一方面６４ａ（上面）に形成されている。より詳しくは、小物収容部６０は、一方面６４ａが上方側を向き他方面６４ｂが下方側を向くように配置された平板状の底板部６４を備えている。そして、小物載置部６１は、底板部６４の一方面６４ａの略全体に形成されている。
【００４１】
尚、小物載置部６１は、平板状の底板部６４の一方面６４ａに形成される形態のものに限らず、例えば湾曲状の底板部の一方面に形成されてもよく、適宜変更できる。また、小物保持部６は、小物載置部６１と周壁部６２とから構成される形態のものに限らず、例えば平面状の小物載置部６１のみから構成されてもよい。
【００４２】
そして、この小物保持部６は、カバ−本体部２における取付枠４の下部に連結され、カバ−本体部２の下方側に配置されている。この実施形態では、小物保持部６は、取付枠４と一体的に形成されている。つまり、小物保持部６と取付枠４とは、同一材料により一体に形成されている。尚、小物保持部６は、取付枠４と一体的に形成される形態のものに限らず、小物保持部６が取付枠４と着脱自在に連結されるものであってもよく、適宜変更し得る。
【００４３】
このように構成されたスイッチカバー１は、例えば次のようにして壁面１１０に取り付けられる。例えば図５に示すように、被覆部材５が外された状態の取付枠４の取付部４２それぞれに、取付ボルト１０４が正面側から挿通され、その挿通された取付ボルト１０４が壁面１１０に取り付けられたスイッチプレート１０１のボルト取付ネジ部１０３それぞれに螺合される。これにより、取付枠４が小物保持部６と共にスイッチプレート１０１を介して壁面１１０に取り付けられる。この状態で、小物収容部６０の底板部６４における小物載置部６１を形成した一方面６４ａが上方側を向き、他方面６４ｂが下方側を向いた状態になる。
【００４４】
次に、被覆部材５の係止凸部５１のそれぞれが、取付枠４の係止凹部４３のそれぞれに位置合わせされ、その状態で、被覆部材５が取付枠４に押し付けられる（図３参照）。これにより、各係止凸部５１の係止爪５１ａが取付枠４の各係止凹部４３に入り込み、各係止凸部５１の弾性によって各係止凹部４３に係止され、被覆部材５が取付枠４に取り付けられる。
【００４５】
また、この状態で、被覆部材５のスイッチ操作用孔５２それぞれにスイッチ片１００がそれぞれ、挿入された状態になるとともに、被覆部材５が取付枠４を覆った状態になり、また、小物保持部６がスイッチ操作用孔５２の下方側に配設された状態になる。
【００４６】
以上のようにスイッチカバー１が構成されることで、カバ−本体部２と連結された小物保持部６に、小物、例えばドアキーを入れておくことができる。これにより、例えば外出時にスイッチ片１００を操作して部屋を消灯する際に、外出時に必要となる場合が多いドアキーのある位置が明確で、且つドアキーを即座に把持でき、ドアキーを探すことなく容易に持ち出すことができる。
【００４７】
しかも、小物収容部６０が小物載置部６１を囲むように小物載置部６１の周縁から上方に延ばされた周壁部６２を備えているため、小物が小物収容部６０から落下するおそれが少なくなる。
【００４８】
なお、小物載置部６１を形成する平板状の底板部６４の他方面６４ｂは平面に形成されており、カバ−本体部２は、これを上下逆にした場合（上下反転させた場合）でも、スイッチ操作用孔５２にスイッチ片１００を挿入できるとともに、取付ボルト１０４によってスイッチプレート１０１に取付枠４を取り付け可能に形成されている。
【００４９】
これにより、例えば図９に示すように、カバ−本体部２を上下逆にして底板部６４の他方面６４ｂ（下面）が上方側を向く状態でカバ−本体部２をスイッチプレート１０１に取り付けた場合には、底板部６４の他方面６４ｂに小物とは異なる他の物品、例えば写真立て１２０の下端を支持して当該写真立て１２０を壁面１１０に立てかけることができる。そのため、使用用途が広く便利なものになる。
【００５０】
この場合には、底板部６４の他方面６４ｂは当該他方面６４ｂに物品が置かれた場合にその置かれた物品を滑り止めする物品滑り止め部を備えたものとされてもよい。例えば図９に示すように、カバ−本体部２を上下逆にして底板部６４の他方面６４ｂが上方側を向く状態において、他方面６４ｂの一部に、他の部分よりも上方に突出して左右方向に延ばされた突起状の物品滑り止め部６５を形成してもよい。
【００５１】
この構成によれば、例えば写真立て１２０が滑り止め部６５によって底板部６４の他方面６４ｂに対して滑り難くなり、したがって、写真立て１２０を安定的に壁面１１０に立てかけておくことができる。尚、物品滑り止め部６５は、突起状のものに限らず、例えば他方面６４ｂの一部に、他の部分よりも窪まされて形成されたもの、或いは、他方面６４ｂの全体を凹凸状に形成されたものでもよく、適宜変更し得る。
【００５２】
なお、上記実施形態では、小物保持部６は小物収容部６０のみから構成されたが、この形態のものに限らず、例えば小物を掛け得る小物掛け部を備えたものとされてもよく、適宜変更できる。
【００５３】
例えば図６に示すように、小物収容部６０の周壁部６２の一部を他の部分よりも上方に突出させることで小物掛け部２６３ａを周壁部６２に形成する。あるいは、図７に示すように、小物収容部６０の周壁部６２の一部をカットして他の部分よりも低くさせることで小物掛け部２６３ｂを周壁部６２に形成する。このように周壁部６２の一部に小物掛け部２６３ａ、２６３ｂを形成することで、周壁部６２の成形時に小物掛け部２６３ａ、２６３ｂも同時に一体に形成でき、小物掛け部２６３ａ、２６３ｂを容易に製作できる。
【００５４】
また、例えば図８に示すように、小物掛け部３６３は、小物収容部６０と別途に形成されたものでもよい。詳しくは、小物掛け部３６３は、小物収容部６０の下方側に配置されたフック支持部３６３ａと、フック支持部３６３ａに支持された１又は複数（この図８に示す実施形態では２つ）のフック３６３ｂとから構成されたものでもよい。
【００５５】
以上のように、図６〜図８に示すような小物掛け部２６３ａ、２６３ｂ、３６３を備えたものとすることにより、小物が紐状物や鎖等の被掛け部を有するものである場合に、容易に小物の紐状部や鎖等の被掛け部を掛けることができ、容易に小物を保持できる。
【００５６】
また、上記実施形態では、小物保持部６は小物収容部６０を備えたものとされたが、この形態のものに限らず、例えば図８に示すような小物掛け部３６３のみを有し、小物収容部６０を有していないものでもよく、適宜変更できる。
【符号の説明】
【００５７】
１  スイッチカバー
２  カバ−本体部
４  取付枠
５  被覆部材
６  小物保持部
４２  取付部
５２  スイッチ操作用孔
６０  小物収容部
６１  小物載置部
６２  周壁
１００  スイッチ片
２６３ａ、２６３ｂ、３６３  小物掛け部
【図１】
0003213285.tif 000003
【図２】
0003213285.tif 000004
【図３】
0003213285.tif 000005
【図４】
0003213285.tif 000006
【図５】
0003213285.tif 000007
【図６】
0003213285.tif 000008
【図７】
0003213285.tif 000009
【図８】
0003213285.tif 000010
【図９】
0003213285.tif 000011
【手続補正書】
【提出日】平成29年8月29日(2017.8.29)
【手続補正１】
【補正対象書類名】実用新案登録請求の範囲
【補正対象項目名】全文
【補正方法】変更
【補正の内容】
【実用新案登録請求の範囲】
【請求項１】
スイッチ操作用孔を備え、壁面に設けられたスイッチ片を前記スイッチ操作用孔に挿入させた状態で前記壁面に組み付けられる、壁面スイッチのスイッチカバーであって、
前記スイッチ操作用孔を有するカバ−本体部と、このカバー本体部に連結された、小物を保持するための小物保持部とを備えていることを特徴とするスイッチカバー。
【請求項２】
前記小物保持部は、前記小物を収容する小物収容部を備え、
前記小物収容部は、前記小物を載置する小物載置部と、前記小物載置部を囲むように前記小物載置部の周縁から上方に延びた周壁部とを備えていることを特徴とする請求項１記載のスイッチカバー。
【請求項３】
前記小物保持部は、前記小物を掛けるための小物掛け部を、更に備えていることを特徴とする請求項２記載のスイッチカバー。
【請求項４】
前記小物掛け部は、前記周壁部に形成されていることを特徴とする請求項３記載のスイッチカバー。
【請求項５】
前記小物掛け部は、前記小物収容部とは別途に形成されていることを特徴とする請求項３記載のスイッチカバー。
【請求項６】
前記スイッチ片は、前記壁面に取り付けられたスイッチプレートにスイッチのオンオフ操作可能に支持されるものであって、
前記小物収容部は、上面および下面を備えた平板状の底板部を備え、かつ前記カバ−本体部の下方側に配設されており、
前記カバ−本体部は、前記スイッチプレートに係脱自在に取り付けられる取付部を備え、上下反転させた状態で前記スイッチプレートに取り付け可能となるように、前記スイッチ操作用孔及び前記取付部が設けられており、
前記底板部の下面は、前記カバー本体部が上下反転する状態で前記スイッチプレートに取り付けられた状態において物品を置くことが可能な形状を有することを特徴とする請求項２〜５の何れか一項に記載のスイッチカバー。
【請求項７】
前記底板部の下面には、前記カバー本体部が上下反転する状態で前記スイッチプレートに取り付けられたときに前記物品を滑り止めする物品滑り止め部が備えられていることを特徴とする請求項６に記載のスイッチカバー。
【請求項８】
前記カバー本体部は、前記壁面に組み付けられる取付枠と、この取付枠に取り付けられて当該取付枠の前面を覆う被覆部材とを含み、
前記小物保持部は、前記取付枠に連結されていることを特徴とする請求項１〜７の何れか一項に記載のスイッチカバー。
【手続補正２】
【補正対象書類名】明細書
【補正対象項目名】００１７
【補正方法】変更
【補正の内容】
【００１７】
なお、前記スイッチ片が、前記壁面に取り付けられたスイッチプレートにスイッチのオンオフ操作可能に支持されるものである場合、前記スイッチカバーの前記小物収容部は、上面および下面を備えた平板状の底板部を備え、かつ前記カバ−本体部の下方側に配設されており、前記カバ−本体部は、前記スイッチプレートに係脱自在に取り付けられる取付部を備え、上下反転させた状態で前記スイッチプレートに取り付け可能となるように、前記スイッチ操作用孔及び前記取付部が設けられており、前記底板部の下面は、前記カバー本体部が上下反転する状態で前記スイッチプレートに取り付けられた状態において物品を置くことが可能な形状を有するものであってもよい。